(57)【要約】【課題】紛失や漏洩などのセキュリティ上の問題や、システムを利用するユーザーが常に最新の情報を共有して作業指示を作成することが出来るシステムを作成し、さらに、従来は把握が難しかったユーザーニーズや市場のマーケットリサーチに利用可能なシステムとしての利用を可能とする。【解決手段】データを一元管理で扱うことで紛失や漏洩などのセキュリティ上の問題や、システムを利用するユーザーが常に最新の情報を共有して作業指示を作成することが出来、さらに、作業指示以外のデータ、たとえば顧客のシステム仕様や用途などを入力および記憶する手段を備えることで、従来は把握が難しかったユーザーニーズや市場のマーケットリサーチに利用可能なシステムとしての利用を可能とする。【選択図】図１
2009003664.tif 000002
【特許請求の範囲】
【請求項１】
コンピュータシステムに必要なコンピュータハードウエアの概略構成を定義した画面と、前記コンピュータハードウエアの概略構成を定義した画面より呼び出される既作成構成を選択する手段および他のユーザーが作成した構成を共有するための設定をする手段とをもつ画面と、前記特定用途のコンピュータシステムに必要なコンピュータハードウエアの構成を定義した画面から呼び出されるコンピュータ装置の構成入力画面と、前記コンピュータ装置の構成入力画面から呼びだされるコンピュータ装置間の接続パターン選択画面と、前記コンピュータ装置の構成入力画面から呼び出されるコンピュータ装置の構成品の作業指示を入力する画面と、前記コンピュータ装置の構成入力画面から呼び出される附帯情報等を入力する画面とを、ネットワークに接続した端末に表示することを特徴とするコンピュータシステムの作業指示作成システム。
【請求項２】
請求項１記載のコンピュータシステムの作業指示作成システムにおいて、特定用途のコンピュータシステムに必要なコンピュータハードウエアの概略構成を定義した画面と、前記コンピュータハードウエアの概略構成を定義した画面より呼び出される既作成構成を選択する手段および他のユーザーが作成した構成を共有するための設定をする手段とをもつ画面と、前記特定用途のコンピュータシステムに必要なコンピュータハードウエアの構成を定義した画面から呼び出されるコンピュータ装置の構成入力画面と、前記コンピュータ装置の構成入力画面から呼びだされるコンピュータ装置間の接続パターン選択画面と、前記コンピュータ装置の構成入力画面から呼び出されるコンピュータ装置の構成品の作業指示を入力する画面とから、構成見積を出力し、ネットワークに接続した端末に表示することを特徴とするコンピュータシステムの作業指示作成システム。
【請求項３】
請求項１記載のコンピュータシステムの作業指示作成システムにおいて、ネットワークに接続されて作業指示および各製品の附帯情報を格納する保存手段と、各製品の作業指示や附帯情報から案件の分析や情報の抽出を行なう手段とを、前記コンピュータ装置の構成品の作業指示を入力する画面と前記コンピュータ装置の附帯情報等を入力する画面とから、作業指示の情報を出力し、ネットワークに接続されて作業指示および各製品の附帯情報を格納する保存手段と、各製品の作業指示や附帯情報から案件の分析や情報の抽出を行なう手段とを、ネットワークに接続した端末に表示する手段を有することを特徴とするコンピュータシステムの作業指示作成システム。
【請求項４】
請求項１記載のコンピュータシステムの作業指示作成システムにおいて、システムにアクセスするユーザーを認証するユーザーIDと暗証番号を入力する手段と、ユーザーIDと暗証番号の関連性を記憶保存する手段を持ち、あるユーザーが作成したデータが第三者に改竄・削除されるのを保護し、また不特定多数のユーザーに対してデータを開示しないことによって、情報の漏洩などのセキュリティの高さを備えることを特徴とするコンピュータシステムの作業指示作成システム。
【請求項５】
請求項１記載のコンピュータシステムの作業指示作成システムにおいて、ネットワークに接続されて作業指示および各製品の附帯情報を格納する保存手段と、各製品の作業指示や附帯情報から案件の分析や情報の抽出を行なう手段とから、過去に作成したデータから納入時期や搭載装置の詳細、保守期限などの顧客の情報を出力し、ネットワークに接続した端末に表示する手段を有することを特徴とするコンピュータシステムの作業指示作成システム。
【請求項６】
請求項１記載のコンピュータシステムの作業指示作成システムにおいて、コンピュータ装置の構成入力画面で定義されたコンピュータ装置をラックに搭載する手段と、前記コンピュータ装置をラックに搭載する手段により、ラックへ搭載された結果を表示する画面と、前記コンピュータ装置間の接続パターン選択画面でされた接続パターンと前記データベース中の接続パターン情報から適切なインターフェイスのケーブルを選択する手段よりケーブルの候補を選択し、ラックへ搭載されたコンピュータ装置の搭載情報からコンピュータ装置間の距離を計算して、前記ケーブルの候補の中から適切な長さのケーブルを自動選択する手段と、自動選択したケーブルを表示する画面と、前記コンピュータ装置の構成品の作業指示を表示する手段により、作業指示を表示する画面から定義される製品情報を出力し、ネットワークに接続した端末に表示する手段を有することを特徴とするコンピュータシステムの作業指示作成システム。
【請求項７】
請求項１記載のコンピュータシステムの作業指示作成システムにおいて、ラックに搭載されたコンピュータ装置の配置を、ネットワークに接続した端末の画面上で搭載変更可能とし、搭載変更時に搭載ルールに違反するかどうかをチェックする手段を有することを特徴とするコンピュータシステムの作業指示作成システム。
【発明の詳細な説明】
【技術分野】
【０００１】
本発明は、コンピュータシステムの構成情報に基づいて、実際にコンピュータシステムを構築する作業を行う際に必要となる作業指示書を作成し、また作業指示以外の附帯情報を保持し構築したシステムに関する統計・分析を可能とするシステムに関する。
【背景技術】
【０００２】
コンピュータシステムの構成作成支援システムとしては、特開2004-259226号公報記載のような例があり、これはコンピュータの画面上でGUIを用い、実際に機器やケーブルなどを視覚的に分かりやすく組み立てることが出来ると共に、コンピュータシステム内での定格制限を自動的に計算し除外する機能や、ドキュメントを確認することなく、システム内で確認できる機能を設け、より短時間での作業を可能としていた。しかし、上記特開2004-259226号の例においては、拡販を目的としたツールとしての機能の強化を第一の目的としており、実際に製品を生産する工程と結びついた仕様は整っておらず、せっかく作成したデータを生産工程の中で有効利用できていなかった。そのため、構成を作成する事をメインとした見積もり機能を中心としたシステムとして使用されていた。
【０００３】
一方で、生産工程においては、一般には技術者が作業内容を規定した作業指示書データを作成して、この作業指示書データを紙に印刷し、この作業指示書を生産現場の各作業者に配布し、各作業者は、この作業指示書を参照しながら製品組み立て等の作業を実行しており、たとえば表計算アプリケーションソフトのマクロ機能などを用いることで省力化と誤入力防止を推進してきた。
【０００４】
【特許文献１】特開2004-259226号公報
【発明の開示】
【発明が解決しようとする課題】
【０００５】
しかし、この手の表計算アプリケーションソフトのマクロ機能は作成に知識を有すると共に複雑な計算を自動化するのが困難な場合がある。電力計算や定格をオーバーする構成を作成する場合がその例である。この場合、構成ガイド、導入計画書等の各種ドキュメントに記載されている多種多様な情報を十分に理解した上で、ユーザーが手動で正確に計算しかつ入力しなければならなかった。このため、多大な工数がかかっていた上、計算間違いなどの人的ミスの誘発の要因に繋がっていた。
【０００６】
また、作成された作業指示のデータは、ユーザーの手元に紙またはデータファイルというローカルファイルの形で蓄積されるのみで一元的な管理がなされておらず、実際に生産工程に流れた案件の情報を全体的に把握および統計分析を行なうことが困難であり、前記特許文献１記載のようなシステムを使用して構成見積等を行なう営業拡販部門へのフィードバック情報として有効に利用することが出来なかった。作業指示作成システムとしては特開平9-88340号公報記載のような例があるが、生産ツールとして使用する目的で作られており、作成したデータを別のシステムにフィードバックする機能は備えていない。
【０００７】
また、作業指示データファイルの管理体制の不備は、作成された作業指示のデータを他の作業者が必要な時に迅速に参照することが困難な事態を招いたり、作成したデータファイルの紛失というトラブルの原因にもなっていた。
【０００８】
さらに、作業指示のフォーマットはタイムリーにWebサイト等で提供し、それをユーザーがダウンロードして使うようにさせていたが、過去に作業指示を作成したことがあるユーザーの中には、過去に作成して保存していたローカルファイルをそのまま流用し一部を修正して使用することがあり、その場合、Webサイト上の最新版のフォーマットでは追記されている新製品のデータが入っていないなどの不良が発生し、誤りのある作業指示が提出され、納期遅延等のトラブルの原因となっていた。
【０００９】
本発明の目的は、これらの懸念事項を解決する手段として、既に実用されている前記特許文献１記載のシステムのコンフィグレーションエンジンを利用し、データを一元管理で扱うことで紛失や漏洩などのセキュリティ上の問題や、システムを利用するユーザーが常に最新の情報を共有して作業指示を作成することが出来るシステムを作成することにある。
【００１０】
さらに、作業指示以外のデータ、たとえば顧客のシステム仕様や用途などを入力および記憶する手段を備えることで、従来は把握が難しかったユーザーニーズや市場のマーケットリサーチに利用可能なシステムとしての利用を可能とすることも目的とする。
【課題を解決するための手段】
【００１１】
上記の課題を解決するために、システムにアクセスするユーザーを認証するユーザーIDと暗証番号を入力する手段を持ち、特定用途のコンピュータシステムに必要なコンピュータハードウエアの概略構成を定義した画面と、前記コンピュータハードウエアの概略構成を定義した画面より呼び出される既作成構成を選択する手段および他のユーザーが作成した構成を共有するための設定をする手段とをもつ画面と、前記特定用途のコンピュータシステムに必要なコンピュータハードウエアの構成を定義した画面から呼び出されるコンピュータ装置の構成入力画面と、前記コンピュータ装置の構成入力画面から呼びだされるコンピュータ装置間の接続パターン選択画面と、前記コンピュータ装置の構成入力画面から呼び出されるコンピュータ装置の構成品の作業指示を入力する画面と、前記コンピュータ装置の構成入力画面から呼び出される附帯情報等を入力する画面とを、ネットワークに接続した端末に表示し、前記コンピュータ装置の構成品の作業指示を入力する画面と前記附帯情報等を入力する画面から入力された情報を元に、作業指示の情報を出力し、ネットワークに接続されて作業指示および各製品の附帯情報を格納する保存手段と、各製品の作業指示や附帯情報から案件の分析や情報の抽出を行なう手段とを、ネットワークに接続した端末に表示する手段を有する。
【００１２】
これにより、コンピュータシステムのハードウェアに対する知識がない者、あるいは表計算アプリケーションソフトのマクロ機能の知識がない者であっても、ネットワークに接続した端末上に表示された画面にしたがって、コンピュータ装置の構成選択および、コンピュータ装置間の接続パターン選択、それぞれの構成品に対する作業指示の選択を行なえば、簡単にコンピュータシステムの構成および作業指示を作成することが可能となり、工数低減と作業ミスの軽減を図ることが可能となる。
【００１３】
さらに、作業指示のデータをサーバシステム上に保存し一元管理を行なうことによって、実際に生産された製品の情報を全体的に把握および統計分析を行なうことが可能となる。また、データの漏洩や紛失といったセキュリティ上の問題の対策が可能であるとともに、データの共有設定機能により、特定のユーザー間において、作成した作業指示データファイルの参照および複製を可能とし、セキュリティを考慮しながら作業指示の作成工数を低減することが可能である。
【発明の効果】
【００１４】
本発明によりコンピュータシステムのハードウェアに対する知識がない者、あるいは表計算アプリケーション搭載のマクロ機能の知識がない者であっても、簡単にコンピュータシステムの構成および作業指示を作成することが可能となり、工数低減と作業ミスの軽減を図ることが可能となる。
【００１５】
さらに、前記特許文献１記載の例においては、作成された構成を把握することは可能であるが、それが実際に受注されたかどうかを把握することが出来ないため、作成された構成が本当に市場のニーズに合っているか判断するのは難しいのに対し、本発明によれば、実際に作成した作業指示のデータを一元管理することで、受注を受けた顧客の業種や利用用途、構成等の附帯情報から業種別、用途別でどのような構成が求められているかを把握するといった利用が可能である。
【００１６】
さらに、このようにして得られたデータを前記特許文献１記載の例のシステムにフィードバックすることで、たとえば、構成見積入力画面において用途や業種を選択するとお勧めの構成を表示させるといった用途に使用することも可能である。
【００１７】
さらに、作業指示データの一元管理によって情報の漏洩や紛失といったセキュリティ上の問題の解決が可能であるとともに、特定のユーザー間でのデータの共有の設定により、他のユーザーが作成した作業指示データファイルの参照を可能とし、以前に作成されたデータを元にして作成することで工数の低減を図るといった技術への応用も可能である。
【発明を実施するための最良の形態】
【００１８】
図１は、本発明の実施形態による全体のシステム構成を示すブロック図である。図１において、エンドユーザー端末（１）は、インターネットなどのネットワーク（２）に接続可能なパーソナルコンピュータからなり、ＨＴＭＬやＸＭＬなどで記述されたウェブページを閲覧するためのウェブブラウザが起動可能な端末である。なお、図示の例では、エンドユーザー端末（１）が１つしか示していないが、複数存在してもよい。作業指示作成支援手段（５）は、インターネットなどのネットワーク（２）に接続し、コンピュータシステム構成の構成作成および作業指示の作成支援サービスを、ウェブページにて提供する。構成情報データベース（４）は、作業指示作成支援手段（５）が使用するデータを保持し、構成データ情報、構成制約情報、構成接続情報等を保存する。構成情報データベース（４）の内容は、製品の情報を管理する、製品データ管理手段（３）から転送される。作業指示作成支援手段（５）は、エンドユーザー端末（１）により、構成作成支援サービスを提供する。作業指示作成支援手段（５）で作成された発注字指定事項の情報は、作業指示データベース（７）に保存される他、生産システム（８）に転送される。作業指示データ分析手段（１２）は、作業指示データベース（７）に格納された情報の中から特定のキーワードによってデータを抽出することが出来る機能を提供する。なお、図１においては、作業指示作成支援手段（５）にユーザー管理手段（９）が置かれ、本システムを利用するユーザーのIDと認証を管理しているように書かれているが、当然作業指示作成支援手段（５）の中に含まれても良いものとする。
【実施例１】
【００１９】
本発明にかかわる実施形態によるシステムの動作フローを図２に示す。以下、同図を参照しながら本システムの機能について、説明する。
【００２０】
図３は、本発明によるシステムのトップページであり、図２のA1に該当する。同画面は、図１の作業指示作成支援手段（５）に格納されたHTMLやXMLなどで記述されたウェブページが図1のエンドユーザー端末（１）に表示されたものである。以下の説明で使用する画面も同様な原理によりエンドユーザー端末（１）に表示されたものである。この画面では、まずユーザーの認証を行なう。構成情報は、競合他社に対しては守秘性の高い情報であるため、ユーザー認証を設ける。なお、新規ユーザーについては、同画面上の新規ユーザー登録ボタンを押してユーザー登録を行なうものとする。図1のユーザー認証手段（９）に接続されているユーザー情報データベース（１０）にアクセスし、既に登録されているユーザーIDは登録できず、また既に登録されているユーザーに対してはユーザー情報データベース（１０）に記録されているパスワードとユーザーIDの整合性を確認し、整合しない場合はエラーメッセージを表示した後に図３のトップ画面に戻る。従来の技術では、表計算ソフトを元に作業指示のデータを作成していた為、ユーザーの手元に紙またはデータファイルというローカルファイルの形で蓄積されるのみで一元的な管理がなされておらず、データの紛失や漏洩、第三者による盗用、改竄などのセキュリティ上の問題が危惧されたが、webシステム化によりデータを一元管理し、さらにこのような認証機能を設けることにより、上記のようなセキュリティ問題に対して有効である特長を有したシステムとなっている。
【００２１】
図４は、構成一覧表示画面であり、図２のA4に該当する。同画面のメニューには、ログインしたユーザーが過去に作成した構成名が並んでいる。これは登録されたユーザーIDを検索キーとして図１の作業指示データ分析手段（１２）が作業指示データベース（７）の中から該当する作業指示のファイルを読み出すことで実現している。このため、新規にユーザーIDを登録したばかりのユーザーの場合や、過去に構成を作成・保存したことのないユーザーの場合には、構成名のリストは表示されることは無い。この機能により、例えば過去に納入した顧客先のシステムに対して装置を増設したり、移設作業を行うといった場合に、最初からデータを作り直す必要が無いだけでなく、迅速かつ正確にデータを参照することが出来、さらに作業指示データの作成者のみがデータの参照および編集可能とすることでセキュリティを高めており、これは本発明における特長のひとつとなっている。また、これら過去に作成したデータについては、製品を納入した顧客に対して、いつ納入したか、増設や移設などの作業は行なったことがあるか、どういった形態で納入しているか、保守期限までどのくらい期間があるか、などを把握する手段としても有用であり、本発明における特長のひとつになっている。
【００２２】
まず、作業指示データを新規に作成する場合について説明する。図４において、同画面の新規作成ボタンを押すと図５の基本情報入力画面に遷移する。これは図２のA5およびA7に該当する。本画面において、構成名称、受決番号、納入先をフリーワードで入力する。また、作成する構成の属性（新規納入／移設／増設／撤去）をプルダウンメニューから選択する（本実施例の場合「新規納入」を選択するものとする）。また、本画面を表示した際に、構成IDが自動的に付与される。構成IDは、実際に作成した作業指示のデータに一意的に付加される情報である。これにより、図１の作業指示の作業指示データベース（７）の中に保存されている作業指示で設定される各々の作業指示やシステムの附帯情報などを関連付けて管理することが可能となる。また、作業指示のデータファイルは図１の生産システム（８）が実作業に使用するが、構成IDだけを生産部門にメールにて通知し、実際に作成した作業指示のデータファイルは生産部門がダウンロードをする。データファイルのサイズが大きい場合など、メールに添付するのが困難な場合に有効な手段として活用できる。
【００２３】
図６は、図５の基本情報入力画面において、構成情報の確定を選択した場合に表示される装置選択画面であり、図２のA8に該当する。ここで、たとえば左のメニューに並ぶシステム製品群の中からひとつを選び追加ボタンを押すと、そのシステム製品群が持つモデルのラインナップ一覧が図７の様に表示される。ユーザーはこの中から自分が構成を作成しようとするモデル製品を選択する。なお、各モデル製品の仕様や特長などをポップアップ形式で表示する機能を持つことで、構成ガイドや機能仕様書といった複数のドキュメント類を参照しなくても、どのような製品かを知ることが出来る事が可能であり、システムの運用性の向上を図っており、本発明における特長のひとつとなっている。
【００２４】
図８は、図６の装置選択画面において、選択したモデル製品に搭載されている各装置の情報を入力する画面であり、図２のA9に該当する。各モデル製品においては、例えばサーバシステムの場合、搭載するプロセッサの種類、メモリの容量、内蔵デバイスの違い、OS種、周辺装置の追加等、その選択範囲は多岐にわたっている。本画面においては、選択したモデル製品ごとに選択できる項目がプルダウンメニューの形式で表示され、ユーザーはその中から自分が構築しようとするモデルの構成データを選択する。プルダウンメニューに表示される項目は、図１の構成情報データベース（４）の構成情報および構成制約情報に基づいて自動的に選択肢として候補に上がった装置であり、また、各装置を選択することで自動的に電力や定格の計算をし、選択できない場合は警告表示がなされるため、コンピュータシステムのハードウェア要件に詳しくない者であっても簡単に各装置の情報を選択し構成を作成することが可能である。各装置の設定が完了した後に確定ボタンを押すことで次の作業に移行するが、もし、この時、確定していない情報があった場合も警告表示がされるので選択漏れなどの人為的ミスを防ぐことが可能であり、本発明の特長のひとつになっている。
【００２５】
図９は、図８の各装置の情報を入力する画面において設定した各装置を、ラックキャビネットに搭載する画面であり、図２のA10に該当する。まず、図８で選択した装置は未搭載部品の領域に表示される。ラックキャビネットに搭載する装置は複数存在しても良い。未搭載部品の領域にある部品をマウスにより右のラックキャビネットの領域にドラッグ＆ドロップを行なう。搭載にあたり図１の構成情報データベース（４）中の構成制約情報中のラック搭載に関する搭載ルールをチェックし、制限のある装置については、その旨が警告表示され、制限から外れる搭載は不可能となっている。この自動チェック機能を備えることでハードウェア要件に詳しくない者でも間違った構成を組まずに済むことが出来るのは本システムの特長のひとつである。本画面において、ラックキャビネットに搭載された装置は図９の画面の右側に表示されている搭載指示一覧に自動的に追加される。実際の生産現場では、この搭載指示一覧に記載された内容を元に装置を判断し、ラックキャビネットの指定された位置に各々の装置を搭載する。全ての装置をラックキャビネットに搭載すると、確定ボタンが表示され、これを押すことで本画面による作業は終了となる。
【００２６】
図１０は、図９のラックキャビネットに装置を搭載する画面において搭載した各装置間に接続するケーブルを設定する画面であり、図２のA11に該当する。装置によっては電源ケーブル以外に、SCSIケーブル、LANケーブルなどを接続することがあり、本画面ではその指定を行なう。たとえば、電源関係のケーブルの接続関係、ケーブル長を設定する場合、電源の接続元をクリックするとそこが始点となり、終点となるコネクタをクリックすると自動的に始点と終点が線で結ばれる。それと同時に、同画面の下方にあるケーブル接続一覧に接続元の装置名と接続場所、接続先の装置名と接続場所が自動的に表示される。両者の間に接続に使用するケーブルの形名がプルダウンメニューの形式で表示されており、ユーザーはこの中から使用するケーブルを選択する。このケーブルは、図１の構成情報データベース（４）中にあるコンピュータ装置間接続制約情報から、コンピュータ装置間の距離を計算し、適切なケーブルの中から、適切な長さのケーブルを自動選択する。この際、使用するケーブル長や電源定格などは自動的に計算され、利用出来ないケーブルを選択した場合には、その旨が警告表示され、制限から外れる接続は不可能となっている。この自動チェック機能を備えることでハードウェア要件に詳しくない者でも間違った構成を組まずに済むことが出来るのが本システムの特長のひとつである。全てのケーブルの接続の設定を終えると確定ボタンが表示され、これを押すことで本画面による作業は終了となる。
【００２７】
図１１は、特定のアプリケーション、この場合は表計算ソフトのフォーマット形式による作業指示の出力指定画面であり、図２のA12に該当する。これまでの作業にて構成作成、および各装置の作業指示が確定されたことになっている。本画面において、ラックキャビネットへの搭載指示、搭載される装置への作業指示を確認し、作業指示を作成する装置にチェックマークを入れると、チェックの入った装置の作業指示が作成される。画面下方にあるデータファイル出力を選択すると、画面に表示されている内容が表計算アプリケーションソフトのデータファイル形式に変換されてユーザー端末にダウンロードされる。さらに、図１の構成データベース（７）の中に作成した各装置ごとの構成情報の内容が構成IDを元にして結び付けられた形で保存される。
【００２８】
図１２は、図１１の作業指示の出力指定画面にて作業指示の出力を行なった後に表示されるシステムの附帯情報の入力画面であり、図２のA13に該当する。本画面では、本システムを用いて作成した構成に関する附帯情報、たとえば、納入先の業種、利用用途、使用されるアプリケーション、データベース、運用管理方法、などをプルダウンメニューから選択してもらう。なお、図１２ではプルダウンメニューで選択してもらう形式にしているが、当然、項目中に該当しない回答を入力したい場合などはフリーワードによる入力を可能としても良い。また、図１２以外の入力項目を追加して、回収する情報量を増加させることは当然可能である。ただし、あまり入力項目を増やすと、ユーザーの回答時間の増大に繋がり作業工数が増える事を考慮しなければならない。図１２によって入力されたシステムの附帯情報には図１１までの作業で作成した作業指示の構成IDが付随され両者はリンクしている。
【００２９】
図１３は、図1の作業指示データ分析手段（１２）を利用した分析データの一例である。この例では、作業指示データベース（７）に格納されているデータを全て読み込み、業種ごとに実案件が何件入っているか、またモデルごとに何件の受注が入っているかを一覧形式にしている。これはあくまでも一例であり、表示のフォーマットなども雑然としている状態になっているが、システム作成の際に見やすい形式にすることは当然可能である。また、このデータをCSV形式にて出力し、表計算ソフトを用いてデータの並べ替えや条件付表示、あるいはグラフ機能を使って図示するなどの利用が可能であることは本発明の特長のひとつである。
【００３０】
図１４は、本発明の特長である図1の作業指示データ分析手段（１２）を利用した実施例の動作フローである。本実施例によれば、図１５は図３の構成一覧画面を改造した画面であり、図１４のB1にあたる。本画面の構成検索ボタンを押すことによって、図１６の構成検索画面に移行する。これは図１４のB2にあたる。ここで、業種別、用途別、納期情報、製品モデル別、アプリケーション別などの項目のプルダウンメニューが用意され（前述の通り、これらの項目はもっと多くても良い）、この中からユーザーが必要とする項目、単一項目でも良いし複数項目でも良い、を選択し検索ボタンを押す。これは図１４のB3にあたる。図１の作業指示データ分析手段（１２）は図１６で指定された検索キーを元に作業指示データベース（７）に格納されている全てのデータを検索する。これは図１４のB4からB6にあたる。本実施例においては、「業種が流通」であることを検索条件とし、この検索条件に当てはまるデータのうち、もっとも多く利用されているモデルを分析し、図１５の構成一覧の画面にその結果を表示することを可能としている。その結果が図１７であり、図１４のB7にあたる。このように本発明においては、図１３のように単純に検索した構成を一覧表示するだけでなく、業種別や用途別にどのような構成が多く作成されているかとか、作業指示の作業日時の情報などからどの時期に案件の受注が入っていて、在庫等をどの時期に持っていれば過不足なく対応できるか、などの営業面および生産面の活動に対するフィードバックとしての統合・分析結果を提供することが可能であり、この機能は重要な特長のひとつである。
【実施例２】
【００３１】
以上、図４において新規作成を選択した場合の動作を説明したが、次に第二の実施例として、既に作成されている構成に対する増設および移設を行なう場合の動作・画面を説明する。これは、図２のA6〜A61の流れに該当する。図３において、画面の中央より下に表示されているのは過去にユーザーが作成した構成である。それぞれのリストの右にある編集ボタンを押すと、過去に作成したファイルを読み込み、以下、新規作成と同様の手順で作業を行うことが出来る。ただし、図５における基本情報入力を行なう必要は無い。
【実施例３】
【００３２】
次に、第三の実施例として、情報の共有の動作の流れについて図１８で説明する。なお、ユーザー認証から構成一覧表示画面までの流れは第一の実施例における構成の新規作成と同様なので省略する。共有機能を使用する場合、まず、あるユーザーが作ったデータを見たいユーザーが作成したユーザーに対して共有設定の依頼をする。これはメールベースでも構わないし、近くに居るユーザーならば声をかけるのでも良い。図４の構成入力画面において、表示されている構成一覧の中から情報を共有したい構成の右にある共有設定ボタンを押すと、図１９に移行する。これは図１８のC2〜C21に該当する。ここで、本構成の情報を共有させたいユーザーのIDを入力し確定すると、画面中央下の共有ユーザー一覧にIDが追加されていく。追加したユーザーIDは任意に削除することも可能である。また、本共有設定機能によって共有が可能となるのは、選択した構成のみであり、ユーザーが作成した他の構成については一切情報を提供することは無い。これにより、特定のユーザー以外に必要なデータ以外を開示しないので第三者への情報の漏洩といったセキュリティ上の脅威を防ぐことが可能であり、本発明の特長のひとつである。
【００３３】
なお、ここまでは自分が他のユーザーに共有設定を行なう場合を説明したが、他のユーザーに自分がデータの共有をしてもらった場合には、図４の共有読込ボタンを押すことで構成リスト一覧に他のユーザーから共有の許可を得られた構成の情報が出力される。これは図１８のC3〜C31にあたる。
【００３４】
また、同画面上に表示されているコピーボタンは共有設定によって参照することが出来る様になったデータを別のユーザーが取り込む機能である。もし、同じデータファイルを編集した場合、将来増設や移設などの作業が必要となった場合に、最初に作成した情報が変更され確認することが困難となってしまう。そこで、作成者以外はオリジナルのデータを編集出来ないようにし、その他のユーザーは複製したデータファイルを編集するようにする仕様とした。これは図１８のC5、C6にあたる。こうして作られたデータは新たに構成IDが付加され別の作業指示データとして図１の作業指示データベース（７）に格納される。同じようなデータが複数作成され無駄が多いようだが、図１の作業指示データ分析手段（１２）によって実際の受注案件数を把握する際には有用であり、また最初から構成を作成するのに比べれば遥かに工数が低減できるので、データの作成という面から見ても有用であり、本発明の特長のひとつとなっている。
【産業上の利用可能性】
【００３５】
拡販、受注、生産という各々の部門を統一したシステムで連携することで、開発工数を低減するだけでなく、各々の部門で情報を共有し活用することが出来る。
【図面の簡単な説明】
【００３６】
【図１】本発明の実施形態による全体システム構成を示すブロック図である
【図２】作業指示作成支援システムで提供するWEBページの遷移フローを示す概念図である。
【図３】作業指示作成支援システムで提供するユーザー認証画面の模式図である。
【図４】作業指示作成支援システムで提供する構成一覧選択画面の模式図である。
【図５】作業指示作成支援システムで提供する基本情報入力画面の模式図である。
【図６】作業指示作成支援システムで提供する装置選択画面の模式図である。
【図７】作業指示作成支援システムで提供する装置選択画面の模式図である。
【図８】作業指示作成支援システムで提供する装置毎情報入力画面の模式図である。
【図９】作業指示作成支援システムで提供する装置方法のラッキング指定画面の模式図である。
【図１０】作業指示作成支援システムで提供する装置間のケーブル接続を指定する画面の模式図である。
【図１１】作業指示作成支援システムで提供する作業指示のファイルを出力する画面の模式図である。
【図１２】作業指示作成支援システムで提供するシステム情報入力画面の模式図である。
【図１３】作業指示作成支援システムで提供する分析データのフォーマット例の図である。
【図１４】作業指示作成支援システムで提供する検索機能の遷移フローを示す概念図である。
【図１５】作業指示作成支援システムで提供する構成検索機能を搭載した構成一覧選択画面の模式図である。
【図１６】作業指示作成支援システムで提供する構成検索機能情報入力画面の模式図である。
【図１７】作業指示作成支援システムで提供する構成検索機能情報によって分析された結果を表示した場合の構成一覧選択画面の模式図である。
【図１８】作業指示作成支援システムで提供する共有設定の遷移フローを示す概念図である。
【図１９】作業指示作成支援システムで提供する特定のユーザー間での共有設定を行なう際のユーザーID入力画面の模式図である。
【符号の説明】
【００３７】
１…エンドユーザー端末、２…ネットワーク、３…製品データ管理手段、４…構成情報データベース、５…作業指示作成支援手段、６…５と７を相互接続、７…作業指示データベース、８…生産システム、９…ユーザー管理手段、１０…ユーザー情報データベース、１１…７と１２を相互接続、１２…作業指示データ分析手段。
【図１】
2009003664.tif 000003
【図２】
2009003664.tif 000004
【図３】
2009003664.tif 000005
【図４】
2009003664.tif 000006
【図５】
2009003664.tif 000007
【図６】
2009003664.tif 000008
【図７】
2009003664.tif 000009
【図８】
2009003664.tif 000010
【図９】
2009003664.tif 000011
【図１０】
2009003664.tif 000012
【図１１】
2009003664.tif 000013
【図１２】
2009003664.tif 000014
【図１３】
2009003664.tif 000015
【図１４】
2009003664.tif 000016
【図１５】
2009003664.tif 000017
【図１６】
2009003664.tif 000018
【図１７】
2009003664.tif 000019
【図１８】
2009003664.tif 000020
【図１９】
2009003664.tif 000021